Podtech/llm-jp-corpus-v4-ja_patent huggingface dataset:
(57)【要約】【課題】  調味料用のキャップオープン機能を備えた計量スプーンを提供する。【解決手段】適宜長さの柄部１の一方端に容器状に形成した計量部２を設け、他方端は下方に折曲して垂設部（キャップオープン機能部）３を形成し、垂設部３に透孔３１を形成すると共に透孔下縁柄部側に突出する係止爪３２を設けてなり、調味料容器のキャップに柄端部を被せ、係止爪をキャップの開口用突起に係止して他端（計量部側）を下圧すると、キャップが跳ね上げられて開口し、計量部２に開口した調味料容器から調味料（調味液）を注ぎ入れ、所定量を調理に供する。【選択図】図１
0003209940.tif 000002
【実用新案登録請求の範囲】
【請求項１】
適宜長さの柄部の一方端に容器状に形成した計量部を設け、他方端は下方に折曲して垂設部を形成し、前記垂設部に透孔を形成すると共に透孔下縁柄部側に突出する係止爪を設けてなることを特徴とする計量スプーン。
【請求項２】
軽量部を、段差を備えた二段容器に形成すると共に、前記段差の下方容積を５ｍｌとし、容器全体の容積を１５ｍｌとしてなる請求項１記載の計量スプーン。
【請求項３】
垂設部形成側の柄端部を幅広に形成すると共に、垂設部を平面視円弧状に形成してなる請求項１又は２記載の計量スプーン。
【考案の詳細な説明】
【技術分野】
【０００１】
本考案は計量スプーンの多機能化に関するものである。
【背景技術】
【０００２】
計量スプーンは周知のとおり料理に際して少量（一般的に５ｍｌ，１５ｍｌ）の調味料を計量するために使用するもので、特に小容量計測器具のために他の機能を付加することは行われていない。
【０００３】
計量スプーンに比較して計測容量が大きい計量カップにおいては、特許文献１に示されているように、スクリューキャップの外周面のローレット形状と対応する凹凸条を形成したキャップオープナーを計量カップの底面に形成した器具（計量カップ）が開示されている。
【先行技術文献】
【特許文献】
【０００４】
【特許文献１】特開２００４−２９２００３号公報。
【考案の概要】
【考案が解決しようとする課題】
【０００５】
ところで調味料の容器としてスクリューキャップを採用せずに煽り開閉構造のキャップも多用されている。この煽り開閉キャップは開口用突起を備え、この突起を指で跳ね上げて開口している。
【０００６】
しかし煽り開閉キャップは樹脂製の密嵌構造で、突起の跳ね上げが指（爪）を傷めたりして煩瑣な動作である。
【０００７】
そこで本考案は、煽り開閉キャップの開口機能を備えた新規な計量スプーンを提案したものである。
【課題を解決するための手段】
【０００８】
本考案の請求項１記載に係る計量スプーンは、適宜長さの柄部の一方端に容器状に形成した計量部を設け、他方端は下方に折曲して垂設部を形成し、前記垂設部に透孔を形成すると共に透孔下縁柄部側に突出する係止爪を設けてなることを特徴とするものである。
【０００９】
而して調味料容器のキャップに柄端部を被せ、係止爪をキャップの開口用突起に係止して他端（計量部側）を下圧すると、キャップが跳ね上げられて開口する。そこで本器具の計量部に開口した調味料容器から調味料（調味液）を注ぎ入れ、所定量を調理に供するものである。
【００１０】
また本考案の請求項２記載に係る計量スプーンは、特に前記の計量スプーンにおいて、計量部を、段差を備えた二段容器に形成すると共に、前記段差の下方容積を５ｍｌとし、容器全体の容積を１５ｍｌとしてなるもので、単一器具で調味料容器のキャップオープナーとして使用されると共に、大小容量の計量を行えるようにしたものである。
【００１１】
また本考案の請求項３記載に係る計量スプーンは、特に垂設部形成側の柄端部を幅広に形成すると共に、垂設部を平面視円弧状に形成してなるもので、開口用突起と係止爪の係止を確実とし、更にキャップ開口時にキャップ上面と当接する面が広くなり支点機能を発揮して使い易くなる。
【考案の効果】
【００１２】
本考案の構成は上記のとおりで、調味料容器からの調味液計量に使用される計量スプーンに、キャップオープン機能を付加したもので、計量スプーン使用時の器具利便性を高めたものである。
【図面の簡単な説明】
【００１３】
【図１】本考案の実施形態の全体斜視図。
【図２】同使用状態（キャップ開口）の説明図。
【考案を実施するための形態】
【００１４】
次に本考案の実施形態について説明する。実施形態に示した計量スプーンは、適宜長さの柄部１の一方端に計量部２を設け、他方端に垂設部（キャップオープン機能部）３を設けたものである。
【００１５】
計量部２は、段差２１を備えた二段容器で、前記段差２１の下方部２２の容積を５ｍｌとし、上方部２３を含む容器全体の容積を１５ｍｌとしたものである。
【００１６】
垂設部（キャップオープン機能部）３は、柄部１の端部（柄端部）１１を幅広とし、更に下方へ平面視円弧状に折曲した形状に形成したもので、垂設面に透孔３１を形成すると共に、透孔下縁柄部側に突出する係止爪３２を設けてなるものである。
【００１７】
図２に例示するように、調味料容器ＡのキャップＢに柄端部１１を被せ、係止爪３２をキャップＢの開口用突起Ｃに係止して他端（計量部側）を下圧すると、キャップＢが跳ね上げられて開口する。
【００１８】
次に計量部２に開口した調味料容器Ａから調味料（調味液）を注ぎ入れ、所定量を計量して調理に供するものである。
【符号の説明】
【００１９】
１      柄部
１１    柄端部
２      計量部
２１    段差
２２    下方部
２３    上方部
３      垂設部（キャップオープン機能部）
３１    透孔
３２    係止爪
【図１】
0003209940.tif 000003
【図２】
0003209940.tif 000004
(57)【要約】      （修正有）【課題】買い物用のゴミ袋を装着しても、見栄えが良くゴミ箱の美観を損なうことがないゴミ箱を提供する。【解決手段】外部ゴミ箱２と内部ゴミ箱１とを備え、内部ゴミ箱にゴミ袋を装着できるように外部ゴミ箱と内部ゴミ箱の内径に差を設けてゴミ箱を二重構造にし、ゴミ袋を外部より見えないように固定することで、ゴミ箱の美観を損ねない構造とする。ゴミ袋を内部ゴミ箱にそって収納でき、外観のデザインがゴミ袋でかくれてしまうことを避けることができ、さらに、ゴミ箱を移動させる際には片手でゴミ箱上部円周の縁を掴んで持ち運べる。【選択図】図１
0003209250.tif 000002
【実用新案登録請求の範囲】
【請求項１】
外部ゴミ箱と内部ゴミ箱とを備え、
上記内部ゴミ箱にゴミ袋を装着できるように上記外部ゴミ箱と上記内部ゴミ箱の内径に差を設けた、
ことを特徴とするゴミ箱。
【請求項２】
買い物用のゴミ袋が再利用できるサイズに調整された、請求項１に記載のゴミ箱。
【考案の詳細な説明】
【技術分野】
【０００１】
この考案は、ゴミ箱の形状に関する。
【背景技術】
【０００２】
従来のゴミ箱の形状は、図２に示す本考案のようにゴミ袋をきれいに収めることのできない一重構造である。
【先行技術文献】
【特許文献】
【０００３】
【特許文献１】特開２００３−８１４０１号公報
【考案の概要】
【考案が解決しようとする課題】
【０００４】
しかしながら、特許文献１の技術によれば、ゴミ箱に買い物用などのゴミ袋を装着するために何らかの、器具または固定具を付加しなければならなかった。そこで、この考案は、買い物用ゴミ袋を装着しても、見栄え良くゴミ箱の優れた美観を損ねない構造を提供することを課題とする。
【課題を解決するための手段】
【０００５】
以上の課題を解決するために、第一の考案は、ゴミ箱を二重構造にしたことを特徴とするゴミ箱である。また、第二の考案は、すべり止め器具を設けなくても一般的にスーパー、コンビニ等で使われているゴミ袋を簡単に装着するために、ゴミ箱全体を覆うカバーを上部からかぶせる構造をとる。
【考案の効果】
【０００６】
第一の考案、または第二の考案によれば、ゴミ箱にゴミ袋の美観を損ねることなく装着し、またゴミ袋を取り出すときも、上部にカバーをスライドして取り除くだけで、ゴミ袋を捨てることが出来る。
【図面の簡単な説明】
【０００７】
【図１】この考案の一実施形態を示す構造図である。
【図２】内部ゴミ箱に装着する方法とゴミ袋を装着した図である。
【考案を実施するための形態】
【０００８】
この考案の一実施形態を、図１に示す。
ゴミ箱は内部ゴミ箱と外側を覆う外部ゴミ箱に別れている。内部ゴミ箱に、弱冠の遊びをもたせた内径の外部ゴミ箱を上方から装着している。
【０００９】
「実施形態の効果」
この実施形態によれば、外部ゴミ箱と内部ゴミ箱の内径をわずかに設けることで、ゴミ袋を内部ゴミ袋にそって収納出来る。外部ゴミ箱で覆われるので、概観のデザインがゴミ袋でかくれてしまうことはない。ゴミを取り出すときは、外部ゴミ箱を上方にスライドさせて、ゴミ袋を取り出す。また、ゴミ箱の径、高さはスーパー、コンビニ等で一般的に使用されるゴミ袋のサイズに合わせて調整されているため、ゴミ袋のゴミ箱への装着が容易かつ見栄えよく行える。
さらに、ゴミ箱を移動させる際には片手でゴミ箱上部円周の縁を掴んで持ち運べばよく、上部に余計な構造を有さない単純な構成のため極めて機能的である。
【符号の説明】
【００１０】
１  内部ゴミ箱            
２  外部ゴミ箱
【図１】
0003209250.tif 000003
【図２】
0003209250.tif 000004
(57)【要約】      （修正有）【課題】そのままゴミ袋に捨てることができるフタ付き水切りネットを提供する。【解決手段】フタ付き水切りネットは、上部に開口１２を有し、底部が一体化され、且つ、水が通過可能なネット本体１０と、該ネット本体１０における開口１２の両側が連接するように一体に形成される２枚のフタシール２０を有することから、野菜のくずや果物の皮などの生ゴミを開口から投入して、所定量の生ゴミが集まると、水切りネットを直接にゴミ袋に捨てることができる。【選択図】図１
0003209288.tif 000002
【実用新案登録請求の範囲】
【請求項１】
上部に開口を有し、底部が一体化され、且つ、水が通過可能なネット本体と、
前記ネット本体における開口の両側が連接するように一体に形成される２枚のフタシールを有することを特徴とするフタ付き水切りネット。
【請求項２】
前記ネット本体の底部に、該ネット本体の内部まで伸びる山折状の折り畳み展開部が設けられることを特徴とする請求項１に記載のフタ付き水切りネット。
【請求項３】
前記フタシールの両端がネット本体の開口の両端と連接するように設けられることを特徴とする請求項１または２に記載のフタ付き水切りネット。
【考案の詳細な説明】
【技術分野】
【０００１】
本考案は、特に水切りネットに関するものである。
【背景技術】
【０００２】
図７に示すように、台所で野菜または果物を洗う時には通常、野菜のくずや果物の皮などの生ゴミを、流し台に設置されるゴミカゴや三角コーナー４０などに集めてから廃棄する。
【考案の概要】
【考案が解決しようとする課題】
【０００３】
しかしながら、既存の三角コーナーは、生ゴミを沢山収容すると、わざわざ生ゴミを三角コーナーから取り出してゴミ袋に入れてから、生ゴミ用のゴミ箱に捨てる必要があるので、使用上非常に不便であった。
【課題を解決するための手段】
【０００４】
本考案のフタ付き水切りネットは、上部に開口を有し、底部が一体化され、且つ、水が通過可能なネット本体と、前記ネット本体における開口の両側が連接するように一体に形成される２枚のフタシールを有するものである。
【０００５】
かかるフタ付き水切りネットにおいて、前記ネット本体の底部に、該ネット本体の内部まで伸びる山折状の折り畳み展開部が設けられることが好ましい。
【０００６】
かかるフタ付き水切りネットにおいて、前記フタシールの両端がネット本体の開口の両端と連接するように設けられることが好ましい。
【考案の効果】
【０００７】
本考案のフタ付き水切りネットは、前記の構造を有することから、使用する時は、ネット本体の開口を開けると共に、ネット本体の折り畳み展開部を展開し、野菜のくずや果物の皮などの生ゴミを開口から投入して、所定量の生ゴミが集まると、水を通す優れた材質からなるネット本体により水を切り、２枚のフタシールを互いに密着させるように重ね合わせて折り返し、開口を閉じることから、水切りネットを直接にゴミ袋に捨てることができるので、使用上非常に便利である。
【図面の簡単な説明】
【０００８】
【図１】本考案に係るフタ付き水切りネットの斜視図である。
【図２】本考案に係るフタ付き水切りネットの平面図である。
【図３】本考案に係るフタ付き水切りネットの側面視断面図である。
【図４】本考案に係るフタ付き水切りネットの使用状態を示す正面視断面図である。
【図５】本考案に係るフタ付き水切りネットにおいて、フタシール部分を互いに密着させて折り返した状態を示す正面視断面図である。
【図６】本考案に係るフタ付き水切りネットにおいて、フタシール部分を互いに密着させて折り返した状態を示す斜視図である。
【図７】従来の三角コーナーの使用状態を示す説明図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１乃至図３に示すように、本考案に係るフタ付き水切りネットは、ネット本体１０及び２枚のフタシール２０を有し、そのうち、ネット本体１０は、水を通す優れた材質からなり、上部に開口１２を有し、ネット本体１０の底部が一体化され、ネット本体１０の内部に向って山折状となる折り畳み展開部１４が設けられる。すなわち、前記折り畳み展開部１４は、ネット本体１０の一体化の底部に設けられ、ネット本体１０の下方から内側に山折状に折り込んで収納したり、ネット本体１０の内部から引き出して展開したりすることができ、該折り畳み展開部１４を展開すると、底部の面積が広がるため、ネット本体１０の内部の容量を増加させることができると共に、水切りネットが自立することができる。
【００１１】
前記２枚のフタシール２０は、ネット本体１０の開口１２両側が連接するように設けられ、ネット本体１０と一体に形成されるので、フタ付き水切りネットを一体に構成できる。
【００１２】
図４に示すように、本考案のフタ付き水切りネットを使用する時は、ネット本体１０の開口１２を開けると共に、ネット本体１０の折り畳み展開部１４を展開し、野菜のくずや果物の皮などの生ゴミを開口１２から投入して、所定量の生ゴミが集まると、水を通す優れた材質からなるネット本体１０を用いて水を切り、図５及び図６に示すように、２枚のフタシール２０を互いに重ね合わせるように開口１２を閉じる設計であるので、生ゴミが開口１２から出ることはない。故に、使用者は、２枚の折り返したフタシール２０を持って水切りネットを直接持ち上げられ、そのままでゴミ袋に捨てることができるので、使用上非常に便利である。
【符号の説明】
【００１３】
１０        ネット本体
１２        開口
１４        折り畳み展開部
２０        フタシール
４０        三角コーナー
【図１】
0003209288.tif 000003
【図２】
0003209288.tif 000004
【図３】
0003209288.tif 000005
【図４】
0003209288.tif 000006
【図５】
0003209288.tif 000007
【図６】
0003209288.tif 000008
【図７】
0003209288.tif 000009
(57)【要約】      （修正有）【課題】オムツやリハビリパンツを容易にずらすことが出来なくなることが可能なズレないゴムバンドを提供する。【解決手段】伸縮バンド２に枢着された補強布３と、この補強布３に固着されゴムバンド１を所定の形状に形成させる固定手段とを備え、ずれにくくする。【選択図】図１
0003209228.tif 000002
【実用新案登録請求の範囲】
【請求項１】
伸縮バンドに枢着された補強布と、この補強布に固着されゴムバンドを所定の形状に形成させる固定手段とを備えたことを特徴とするゴムバンド
【請求項２】
前記固定手段はタッチホック（錠付きボタン）であることを特徴とする請求項１記載のゴムバンド。
【請求項３】
前記補強布はポリプロピレン製であることを特徴とする請求項１または請求項２記載のゴムバンド
【請求項４】
前記伸縮バンドに位置決め手段を設けたことを特徴とする請求項１から請求項３のいずれか１項に記載のゴムバンド。
【考案の詳細な説明】
【技術分野】
【０００１】      この考案は、ゴム製の伸縮バンドに錠付きボタンを設けた、バンドに関するものである。
【背景技術】
【０００２】      着衣の上に巻いて着衣のずれを防止する機能を有するバンドが提供されている。（例えば、特許文献１参照）
【先行技術文献】
【特許文献】
【０００３】
【特許文献１】実用新案登録第３１７１１３２号公報
【考案の概要】
【考案が解決しようとする課題】
【０００４】      上記のようなベルトをオムツやリハビリパンツのずれ防止に使用する場合、健常者であれば意識的に着用されるので、外すことはないが、認知症等の利用者が着用した場合、無意識に外そうとするので、マジックテープ等でとめた場合には容易に外れてしまうという問題があった。【０００５】      オムツやリハビリパンツを着用されている方で、認知症等の病気を持たれている方が、無意識にそれをズラしたりして、毎日のようによく失禁等をされていた。それを処理する者は、汚物の処理・体の清拭・布団等の洗濯・床等の掃除等を、その都度おこなわないといけないため、経済的（オムツ・洗剤等）時間的・精神的負担になっている。【０００６】        この考案は、上述のような問題点を解決するためになされたもので、伸縮ベルトの機能と錠付きボタンの機能を一体化することにより、認知症等の利用者が、オムツ等のズレ防止に使用した場合に、ズレることのないゴムバンドを得ることを目的とする。
【課題を解決するための手段】
【０００７】        伸縮バンドに枢着された補強布と、この補強布に固着されゴムバンドを所定の形状に形成させる固定手段とを備えたものである
【考案の効果】
【０００８】      この考案のズレないゴムバンドは、ゴム製で伸縮性があり、身体に密着するため、不用意に手で触っても外れ難くく、しかも本体を取り外しにくくする錠付きボタンが付いており、ズレ防止に役立つ。【０００９】      ゴムバンドの位置決め手段と利用者の腰の中心部分を合わせて着用することにより、タッチホックをへその部分にもってくることができ、タッチホックを解除した時にへその部分から左右に開くので、パット交換も容易にできる。すなわち、失禁が抑えられることにより、経済的・時間的・精神的負担を軽減させることが見込まれる。（図３参照）
【図面の簡単な説明】
【００１０】
【図１】この考案の実施の形態１を示すゴムバンドの正面図である。
【図２】この考案の実施の形態１を示す。タッチホックの構造図である。
【図３】この考案の実施の形態１におけるゴムバンドの装着図である。
【考案を実施するための形態】
【実施例】
【００１１】    図１は、この考案の一実施の形態を示すゴムバンドの正面図である。図において１は、ゴムバンドであり、ゴム製の伸縮バンド２と、補強布３と、ゴムバンド１を所定の形状（輪状）に形成させる固定手段である。タッチホック４（錠付きボタン）により、一体的に形成されている。図２はタッチホック４（錠付きボタン）の構造図であり、解除する場合は、ボタン４ａを爪を立てて中央部を押さないと開錠されないようになっている。３は、例えばポリプロピレン製で形成されており、伸縮バンドを伸ばした時に切れにくくするための補強手段であると共に伸縮バンド２とタッチホック４を強固に一体化するものである【００１２】  このように構成されたゴムバンド１は、伸縮性があり体に密着させ、不用意に手で触っても外れ難く、錠付きボタン４になっており容易にはずすことができない。また、これらを一体化することによりオムツ等をズレにくくすることができる。【００１３】  図１の２ａは位置決め手段であり、利用者の腰の中心部分を合わせて着用することにより、タッチホック４をへその部分にもってくることができ、タッチホック４を解除した時にへその部分から左右に開くので、パット交換も容易にできる。すなわち、失禁が抑えられることにより、経済的・時間的・精神的負担を軽減させることができる。（図３参照）
【符号の説明】
【００１４】１  ゴムバンド，２  伸縮バンド，２ａ  位置決め手段，３  補強布，４  タッチホック，４ａ  ボタン。
【図１】
0003209228.tif 000003
【図２】
0003209228.tif 000004
【図３】
0003209228.tif 000005
(57)【要約】      （修正有）【課題】カバーの取り外しが容易な座椅子を提供する。【解決手段】座面下部に取り付ける左右の脚部の接続部に、半円切り欠き部４を設けて、座面を覆うカバーとしての布５の端を該半円切り欠き部の左右両方に通し引っ張り、摩擦力で抜けづらくする。使用時の布のたるみが防止できるとともに、布の取り外しも容易にできる。【選択図】図３
0003209258.tif 000002
【実用新案登録請求の範囲】
【請求項１】
座面下部に取り付ける左右の脚部との接続部に、該脚部に半円切り欠き部を設けて、座面を覆うカバーとしての布の端を該切り欠き部の左右両方に通し引っ張り、摩擦力で抜けづらくし、該布の取り外しもできる座椅子。
【請求項２】
前記布はタオル地であることを特徴とする請求項１に記載の座椅子。
【考案の詳細な説明】
【技術分野】
【０００１】
座椅子カバーにタオルを使い、そのタオルの取り外しが容易な技術分野に属する。
【背景技術】
【０００２】
従来、座椅子のカバーは座椅子に縫い合わせたり、座椅子にカバーをかぶせたりしていた。
【考案の概要】
【考案が解決しようとする課題】
【０００３】
カバーを縫い合わすと取り外しが大変であり、カバーをかぶせた場合にはたるみが出る場合があるので座り心地が悪いという問題があった。
【課題を解決するための手段】
【０００４】
座面下部に取り付ける左右の脚部との接続部に、該脚部に半円切り欠き部を設けて、座面を覆うカバーとしての布の端を該半円切り欠き部の左右両方に通し引っ張り、摩擦力で抜けづらくし、該布の取り外しもできる座椅子を提供することで上記の問題を解決した。
【考案の効果】
【０００５】
上記により、切り欠き部の摩擦力でカバーである布がぴんと張りたるみもなく、また縫い合わせもしていないのでこの摩擦力に逆行する力でこの布を抜き取れば容易に取り外しができる。
【図面の簡単な説明】
【０００６】
【図１】タオル取り付け前の図（正面図）
【図２】タオル取り付け前の図（左側面図）
【図３】タオル取り付け途中の図（裏面）
【図４】タオルを取り付けた後の上方から見た図
【考案を実施するための形態】
【０００７】
図面１と２はこの座椅子１の正面図と左側面図を示す。右側面図は左側面図と同じ図となるので省略している。つまり半円切り欠き部４が左右にそれぞれあることを示す。カバーとしての布はタオル地が好適であり、その取り付け方法を図３に示している。図３では左右一方の半円の切り欠き部４にその布を通した図となっているが、これを左右両方通して完成させる。その完成した図を図４に示す。
【符号の説明】
【０００８】
１  座椅子
２  座面
３  脚部
４  半円切り欠き部
５  タオル
【図１】
0003209258.tif 000003
【図２】
0003209258.tif 000004
【図３】
0003209258.tif 000005
【図４】
0003209258.tif 000006
(57)【要約】      （修正有）【課題】片手で操作することができ、同時にスプーンとしても使用可能な飲料撹拌用のモーター付きスプーンを提供する。【解決手段】スプーンに自由に回転できる回転軸とモーターを直列に接続する。モーターにはスイッチが押されている間だけ電流が流れる押しボタン式のスイッチを設置する。また、電池を挿入したケースをモーターと直角に取り付け、ピストルのようにその部分を片手で握れるようにする。回転軸には、軸の回転を止めるための固定板が指の届く位置に設置されており、その固定板を指で挟むことにより、軸が固定され、そのままスプーンとしても使用できるようにする。【選択図】図１
0003209252.tif 000002
【実用新案登録請求の範囲】
【請求項１】
スプーンに指で挟んで軸の回転を止めるための固定板が付属している回転軸とスイッチが押されている間だけ電流が流れる押しボタン式のスイッチが付属したモーターを直列に取り付け、電池を挿入した電源ケースがモーターと直角になるように取り付けたことを特徴とするモーター付きスプーン。
【考案の詳細な説明】
【技術分野】
【０００１】
本考案は、主として飲料を攪拌するためのスプーンに関する。
【背景技術】
【０００２】
飲料を攪拌する場合、スプーンにより手動で攪拌することが多い。そのようなときにモーターにより自動的に攪拌できれば非常に便利である。
【先行技術文献】
【特許文献】
【０００３】
【特許文献１】特開2008-161682
【考案の概要】
【考案が解決しようとする課題】
【０００４】
スプーンによりコーヒー等にミルクや砂糖を入れて攪拌する場合、モーターにより自動的に攪拌できれば非常に便利であるが、従来モーターを使用して攪拌機能を持たせようとしたものは重く持ち運びに不便なうえ、そのままの状態でスプーンとして使用することは不可能であるという欠点があった。
本考案は、片手で操作することができ、同時にスプーンとしても使用可能なモーター付きスプーンを提供することを目的としている。
【課題を解決するための手段】
【０００５】
本考案は以上の点を解決するために次のような構成を採用する.
スプーンに自由に回転できる回転軸とモーターを直列に接続する。モーターにはスイッチが押されている間だけ電流が流れる押しボタン式のスイッチを設置する。また、電池を挿入した電源ケースをモーターと直角になるように取り付け、ピストルのようにその部分を片手で握れるようにする。回転軸には、軸の回転を止めるための固定板が指の届く位置に設置されており、その固定板の端を指で挟むことにより、回転軸が固定され、そのままスプーンとしても使用できるようする。
【考案の効果】
【０００６】
本考案のモーター付きスプーンには次のような効果がある。
構成はスプーン、回転軸、モーターおよび電池の部分のみであるため、軽量であり、全体をスプーンのように片手で保持して、操作することが可能であり、モーターに取り付けた押しボタン式のスイッチを親指で押せばモーターが回転し、飲料を攪拌することができる。またスプーンとして使用する場合は回転軸に取り付けた固定板の端を親指と人差し指の両指で挟めば、回転できない状態になるのでそのまま通常のスプーンとしても使用可能となる利点がある。
【図面の簡単な説明】
【０００７】
【図１】この考案の構成の具体例を示す図面代用写真である。
【図２】この考案の構成でモーター付きスプーンを片手で保持しながら親指でモーターのスイッチを押す場合の具体例を示す図面代用写真である。
【図３】この考案の構成でモーター付きスプーンを片手で保持しながら回転軸に取り付けた固定板の端を親指と人差し指の両指で挟むことにより、回転できない状態した場合の具体例を示す図面代用写真である。
【考案を実施するための形態】
【０００８】
以下、本考案を図の具体例を用いて詳細に説明する。
【実施例】
【０００９】
図１に、本考案のモーター付きスプーンの具体例を示す。
スプーン１に回転軸２を取り付けモーター３と直列に連結する。モーター３はスイッチ４が押されている間だけ電気が流れるようになっている。また、電池５を挿入した電池ケース７をモーター３と直角になるように取り付け、ピストルのように片手で保持できるようにする。さらに回転軸２に軸の回転を止めるための固定板６を親指と人差し指が届く範囲内に回転軸２に固定して設置する。
以上のモーター付きスプーンは次のようにして使用する。
スプーン１を回転させるときは図２のように電池ケース７を中指、薬指、小指の３つの指で握って保持し、親指でモーター３のスイッチ４を押す。モーター３はスイッチ４が押されている間だけ電気が流れ、その間だけ回転する。親指をモーター３のスイッチ４から離すと電気が流れなくなるのでモーター３の回転は止まる。しかし、回転軸２自体は固定されておらず、負荷がかかれば回転してしまうためそのままではスプーンとしては不安定で使えない。そのため図３のように固定板６の端を親指と人差し指で挟みスプーン１が回転しない状態に保持してからスプーンとして使用する。
【産業上の利用可能性】
【００１０】
以上のように、この考案のモーター付きスプーンは、全体を片手で保持することができるため、片手のみで攪拌操作が可能であり、またスプーンとして使用する場合は回転軸に取り付けた回転止めの固定板を指で押さえることにより通常のスプーンとしても使用可能であり、コーヒー等にミルクや砂糖を入れてモーターにより自動的に攪拌しながら同時にスプーンとしても使用することに適している。
【符号の説明】
【００１１】
１  スプーン
２  回転軸
３  モーター
４  スイッチ
５  電池
６  固定板
７  電池ケース
【図１】
0003209252.tif 000003
【図２】
0003209252.tif 000004
【図３】
0003209252.tif 000005
(57)【要約】      （修正有）【課題】フックの取付け方を工夫することにより、一人で収納容器を高所に引き上げる作業を可能にする高所引き上げ具を提供する。【解決手段】挿入ガイド板１の上面に一定長のロープ８が通された吊り輪２を固定し、挿入ガイド板の下面の放射状の位置に複数個のフック３１、３２を設け、高所作業現場において、ロープの上端から何れかのフックによって収納容器Ａを引っ掛けて高所に引っ張り上げることを特徴とする。【選択図】図４
0003209262.tif 000002
【実用新案登録請求の範囲】
【請求項１】
挿入ガイド板の上面に一定長のロープが通された吊り輪を固定し、挿入ガイド板の下面の放射状の位置に複数個のフックを設け、高所作業現場において、ロープの上端から何れかのフックによって収納容器を引っ掛けて高所に引っ張り上げることを特徴とする高所引き上げ具。
【請求項２】
前記フックは、フックの爪部の先端が互いに向き合うような位置に近接して設けたことを特徴とする請求項１記載の高所引き上げ具。
【請求項３】
前記フックは、少なくとも３個以上であることを特徴とする請求項１又は２記載の高所引き上げ具。
【考案の詳細な説明】
【技術分野】
【０００１】
本考案は、高所作業現場において、補充用塗装剤や部品等を収納したバケツのような収納容器を引っ張り上げる高所引き上げ具に関する。
【背景技術】
【０００２】
従来、高所作業現場において、補充用塗装剤や部品等を収納した収納容器を高所に引っ張り上げるには、一定長のロープの下端にフックを取付けた引き上げ具を高所から垂らし、フックに収納容器の取っ手を引っ掛けて引っ張り上げていた。
【先行技術文献】
【特許文献】
【０００３】
【特許文献１】登録実用新案第３０２９７２６号公報
【考案の概要】
【考案が解決しようとする課題】
【０００４】
高所作業現場にて一人で作業する場合、収納容器の取っ手にフックを引っ掛けようとしても、ロープが風等で揺れたりすると、フックがうまく引っ掛からず、作業がはかどらないという難点があった。本考案は、フックの取付け方を工夫することにより、一人で収納容器を高所に引き上げる作業を可能としたことを目的とするものである。
【課題を解決するための手段】
【０００５】
上記目的を達成するため、請求項１記載の考案は、挿入ガイド板の上面に一定長のロープが通された吊り輪を固定し、挿入ガイド板の下面の放射状の位置に複数個のフックを設け、高所作業現場において、ロープの上端から何れかのフックによって収納容器を引っ掛けて高所に引っ張り上げることを特徴とするものである。
【０００６】
また、請求項２記載の考案は、請求項１記載の高所引き上げ具であって、フックは、フックの爪部の先端が互いに向き合うような位置に近接して設けたことを特徴とするものである。
【０００７】
また、請求項３記載の考案は、請求項１又は２記載の高所引き上げ具であって、フックは、少なくとも３個以上であることを特徴とするものである。
【考案の効果】
【０００８】
本考案による高所引き上げ具によれば、挿入ガイド板の上面に一定長のロープが通された吊り輪を固定し、挿入ガイド板の下面の放射状の位置に複数個のフックを設け、高所作業現場において、ロープの上端から何れかのフックによって収納容器を引っ掛けて高所に引っ張り上げるので、一人で収納容器を高所に引き上げる作業が可能となる。
【０００９】
また、本考案による高所引き上げ具によれば、フックは、少なくとも３個以上のフックをその爪部の先端が互いに向き合うような位置に近接して設けたので、何れかのフックに速やかに引っ掛けることができ、短時間で高所に引っ張り上げることができる。
【図面の簡単な説明】
【００１０】
【図１】本考案の一つの実施例を示す斜視図である。
【図２】図１における実施例を下方から示す斜視図である。
【図３】図１における実施例を上方から示す斜視図である。
【図４】本考案の使用状態を示す説明図である。
【考案を実施するための形態】
【実施例】
【００１１】
本考案の高所引き上げ具の実施形態を、添付図面に基づいて説明する。図１乃至図４において、１は収納容器Ａを高所に引っ張り上げる際にガイドとなる挿入ガイド板であり、その上面１１には吊り輪２が固定されている。吊り輪２には一定長のロープ８が通される。挿入ガイド板１の下面１２には複数個のフック３（３１、３２、３３）が放射状の位置に設けられている。これらのフック３（３１、３２、３３）は、フック胴部４（４１、４２、４３）とフック胴部４（４１、４２、４３）に連続的に形成され収納容器Ａを引っ掛けるための爪部５（５１、５２、５３）を有し、フック胴部４（４１、４２、４３）にはアンカーリング６（６１、６２、６３）を摺動自在に挿通する孔４ａ（４１ａ、４２ａ、４３ａ）が形成されている。アンカーリング６（６１、６２、６３）は挿入ガイド板１の下面１２に螺着されたフック固定具７（７１、７２、７３）に固定されている。
【００１２】
このように構成された高所引き上げ具を使用して、高所作業現場において、補充用塗装剤や部品等を収納したバケツのような収納容器Ａを高所に引っ張り上げる使用状態を、図に従って説明する。高所作業現場にて一人で作業する場合、補充用塗装剤や部品等が必要になった場合、その都度、脚立等から下へ降りて運んでいては時間の無駄である。高所で作業する際にロープ８の上端を持って高所に上がり、ロープ８に通された吊り輪２を持ち上げ、挿入ガイド板１を目安にして収納容器Ａの近辺に引き降ろす。
【００１３】
挿入ガイド板の下面１２に螺着されたフック固定具７（７１、７２、７３）に固定されたアンカーリング６（６１、６２、６３）を介して摺動自在に連結されたフック３（３１、３２、３３）は、フック３（３１、３２、３３）の爪部５（５１、５２、５３）の先端が互いに向き合う位置に近接しているので、何れかのフックにより収納容器Ａの取っ手Ｂを捉えることができ、その状態でロープ８を引き上げれば収納容器Ａを高所に引っ張り上げることができる。
【００１４】
以上説明したように、本考案によれば、アンカーリングを介して摺動自在に連結された複数個のフックの爪部の先端を互いに向き合う位置に近接して設けたので、何れかのフックで収納容器を速やかに引っ掛けることができ、１個のフックで引っ掛ける時間に比べて短時間で高所に引っ張り上げることができる。なお、フックの数は３個で説明したが、それに限定されることはない。
【符号の説明】
【００１５】
１  挿入ガイド板
２  吊り輪
３（３１、３２、３３）  フック
４（４１、４２、４３）  フック胴部
５（５１、５２、５３）  爪部
６（６１、６２、６３）  アンカーリング
７（７１、７２、７３）  フック固定具
８  ロープ
Ａ  収納容器
【図１】
0003209262.tif 000003
【図２】
0003209262.tif 000004
【図３】
0003209262.tif 000005
【図４】
0003209262.tif 000006
(57)【要約】      （修正有）【課題】ロープの先端を保持する補助具を用いることにより、一人で荷材を高所に引き上げる作業を可能にする高所引き上げ用補助具を提供する。【解決手段】荷材の上に載置するとともにロープ固定具の基盤となるロープ固定ベース部１とロープ固定ベース部に立脚する２本の柱２１、２２及び２本の柱の上端を繋ぐロープ把持部２３を有するロープ固定具２とを備え、荷材を縛ったロープの先端をロープ固定具で保持することを特徴とする。【選択図】図１
0003209263.tif 000002
【実用新案登録請求の範囲】
【請求項１】
荷材の上に載置するとともにロープ固定具の基盤となるロープ固定ベース部と前記ロープ固定ベース部に立脚する２本の柱及び前記２本の柱の上端を繋ぐロープ把持部を有するロープ固定具とを備え、荷材を縛ったロープの先端をロープ固定具で保持することを特徴とする高所引き上げ用補助具。
【請求項２】
前記ロープ把持部は、中央に切れ目を設け、ロープの先端を前記切れ目に挟んで保持することを特徴とする請求項１記載の高所引き上げ用補助具。
【考案の詳細な説明】
【技術分野】
【０００１】
本考案は、高所作業現場において、ロープで縛った荷材を高所に引っ張り上げる高所引き上げ用補助具に関する。
【背景技術】
【０００２】
従来、高所作業現場で作業をするにあたり、部品等を梱包した荷材を高所に引っ張り上げるには、荷材を縛ったロープの先端に引き上げ用フックを引っ掛けて引き上げていた。
【先行技術文献】
【特許文献】
【０００３】
【特許文献１】実開平７−２３７７号公報
【考案の概要】
【考案が解決しようとする課題】
【０００４】
高所作業現場にて一人で作業する場合、荷材を縛ったロープの先端に引き上げ用フックを引っ掛けようとしても、普通のロープは張りがないので、ロープの先端がたるんでしまい、作業がはかどらないという難点があった。本考案は、ロープの先端を保持する補助具を用いることにより、一人で荷材を高所に引き上げる作業を可能としたことを目的とするものである。
【課題を解決するための手段】
【０００５】
上記目的を達成するため、請求項１記載の考案は、荷材の上に載置するとともにロープ固定具の基盤となるロープ固定ベース部とロープ固定ベース部に立脚する２本の柱及び２本の柱の上端を繋ぐロープ把持部を有するロープ固定具とを備え、荷材を縛ったロープの先端をロープ固定具で保持することを特徴とするものである。
【０００６】
また、請求項２記載の考案は、請求項１記載の高所引き上げ用補助具であって、ロープ把持部は、中央に切れ目を設け、ロープの先端を切れ目に挟んで把持することを特徴とするものである。
【考案の効果】
【０００７】
本考案による高所引き上げ用補助具によれば、荷材の上に載置するとともにロープ固定具の基盤となるロープ固定ベース部とロープ固定ベース部に立脚する２本の柱及び２本の柱の上端を繋ぐロープ把持部を有するロープ固定具とを備えたので、ロープの先端に引き上げ用フックを容易に引っ掛けることができ、一人で荷材を高所に引き上げる作業が可能となる。
【図面の簡単な説明】
【０００８】
【図１】本考案の一つの実施例を示す斜視図である。
【図２】図１における実施例を上方から示す平面図である。
【図３】図１における実施例の要部を拡大した斜視図である。
【図４】本考案の使用状態を示す説明図である。
【考案を実施するための形態】
【実施例】
【０００９】
本考案の高所引き上げ用補助具の実施形態を、添付図面に基づいて説明する。図１乃至図３において、１は、高所に引っ張り上げる荷材Ａの上に載置する２本のベース部１１、１２と２本のベース部１１、１２の間に固定される基盤部１３とで構成されるロープ固定ベース部、２は、ロープ固定ベース部１の基盤部１３の両端に立脚する２本の柱２１、２２と２本の柱２１、２２の上端を繋ぐロープ把持部２３とで構成されるロープ固定具であり、荷材Ａを縛ったロープＢの先端Ｂ１をロープ固定具２で保持する。ロープ把持部２３は、ゴムのような素材で形成され、中央に切れ目２４を設け、その切れ目２４にロープＢの先端Ｂ１を挟んで保持する。
【００１０】
このように構成された高所引き上げ用補助具を使用して、高所作業現場において、部品等を梱包した荷材Ａを高所に引っ張り上げる使用状態を、図４に従って説明する。高所作業現場にて一人で作業する場合、部品等を梱包した荷材Ａが必要になった場合、その都度、脚立等から下へ降りて運んでいては時間の無駄である。そのため、図４に示す高所引き上げ具３を用いて荷材Ａを引き上げる。高所引き上げ具３は、挿入ガイド板４の下面に螺着されたフック固定具５に固定されたアンカーリング６を介して摺動自在に連結された複数個の引き上げ用フック７の先端を互いに向き合う位置に近接して設けたもので、挿入ガイド板４の上面に一定長の引き上げロープ８が通された吊り輪９を固定する。
【００１１】
荷材Ａの上に高所引き上げ用補助具のロープ固定ベース部１を載置し、荷材Ａを縛ったロープＢの先端Ｂ１を高所引き上げ用補助具のロープ把持部２３の切れ目２４に挟んでロープＢの先端Ｂ１を保持する。
【００１２】
高所で作業する際に、引き上げロープ８の上端を持って高所に上がり、高所引き上げ具３に設けた複数個の引き上げ用フック７を持ち上げ、挿入ガイド板４を目安にして高所引き上げ用補助具に保持されたロープＢの先端Ｂ１の近辺に引き降ろす。引き上げ用フック７の先端は互いに向き合う位置に近接しているので、何れかの引き上げ用フックによりロープＢの先端Ｂ１を捉えることができ、ロープ固定具２と一緒に荷材Ａを引っ張り上げることができる。ロープＢの先端Ｂ１はロープ把持部２３の切れ目２４に挟んで保持されているので、ロープＢの先端Ｂ１がたるんでしまうことなく、容易に引き上げ用フック７を引っ掛けることができる。
【００１３】
以上説明したように、本考案によれば、荷材の上に載置するとともにロープ固定具の基盤となるロープ固定ベース部とロープ固定ベース部に立脚する２本の柱及び２本の柱の上端を繋ぐロープ把持部を有するロープ固定具とを備え、荷材を縛ったロープの先端をロープ固定具で保持したので、ロープの先端に引き上げ用フックを容易に引っ掛けることができ、一人で荷材を高所に引き上げる作業が可能となる。
【符号の説明】
【００１４】
１  ロープ固定ベース部
１１、１２  ベース部
１３  基盤部
２  ロープ固定具
２１、２２  柱
２３  ロープ把持部
２４  切れ目
３  高所引き上げ具
４  挿入ガイド板
５  フック固定具
６  アンカーリング
７  引き上げ用フック
８  引き上げロープ
９  吊り輪
Ａ  荷材
Ｂ  荷材Ａを縛ったロープ
Ｂ１  ロープＢの先端
【図１】
0003209263.tif 000003
【図２】
0003209263.tif 000004
【図３】
0003209263.tif 000005
【図４】
0003209263.tif 000006
(57)【要約】【課題】ファスナーを有し、本体の柄が電車の車両の柄を模していることが特徴のポーチを提供する。【解決手段】ポーチ本体にファスナー及び電車の車両の柄を模したデザインを備える。【選択図】図１
0003209208.tif 000002
【実用新案登録請求の範囲】
【請求項１】
ファスナーを有し、本体の柄が電車の車両の柄を模していることが特徴のポーチ。
【考案の詳細な説明】
【技術分野】
【０００１】  ファスナーを有し、本体の柄が電車の車両の柄を模していることが特徴のポーチに関するものである。
【背景技術】
【０００２】  従来の電車のデザインのポーチは電車の車両そのものを模したデザインであった。【０００３】
【考案の概要】
【考案が解決しようとする課題】
【０００４】  商品のデザインとして電車が直接的に表現されているものは電車に興味がない人や女性にとってはなかなか受け入れがたいものであった。
【課題を解決するための手段】
【０００５】  前記請求項１記載の考案は、ファスナーを有し、本体の柄が電車の車両の柄を模していることを特徴とする。
【考案の効果】
【０００６】  前述の０００５段落の手段により、本考案のポーチは電車に興味がない人や女性にも受け入れられやすくなった。
【図面の簡単な説明】
【０００７】
【図１】本考案を適用したポーチの図である。
【考案を実施するための形態】
【０００８】  以下、本考案を実施するための最良の形態として、ポーチについて、図面を参照しながら詳細に説明する。
【０００９】  図１はポーチの立体図を表している。一見すると電車を連想させる要素は一切ないように見えるが、デザインは電車の車両の柄を模したものである。
【００１０】  本考案のポーチを使用することで電車を身近に感じることができ、それでいて電車の車両の柄をデザインとして採用することで、電車の要素が主張し過ぎず、老若男女、幅広い層に使用して頂けることが期待できる。
【００１１】本考案のポーチ本体あるいは部品の形状及び柄は限定されず、いかなる形状及び柄でも構わない。
【００１２】  又、本考案のポーチ本体あるいは部品を形成する素材は限定されず、いかなる素材でも構わない。
【符号の説明】
【００１３】  １    ファスナー
【図１】
0003209208.tif 000003
(57)【要約】      （修正有）【課題】自動製函箱に対する加飾を、同一素材上で行うことができる成形製函パッケージを提供する。【解決手段】薄手のプラスチックシート材料を折り罫と辺で囲まれた５つの矩形Ｍ１〜Ｍ５が現れるように打ち抜いた後に、５つの矩形Ｍ１〜Ｍ５の任意の箇所に真空成型にて加飾を施した後、自動製函機を用い物品の両端の一方に現れる接合の為の余地を持った面Ｎと、その余地をオーバーラップし糊付け、接合することでパッケージとして使用できる。【選択図】図１
0003209175.tif 000002
【実用新案登録請求の範囲】
【請求項１】
薄手のプラスチックシート材料を折り罫と辺で囲まれた５つの矩形が現れるように打ち抜ぬいた後に、該物品に現れた５つの矩形の任意の箇所に真空成型にて加飾を施した後、自動製函機を用い該物品の両端の一方に現れる接合の為の余地を持った面と、その余地をオーバーラップし糊付け、接合することでパッケージとして使用できることを特徴とする成型製函パッケージ。
【請求項２】
請求項１に記載のプラスチックシート材料に対する印刷は、オフセット印刷を用いて絵や文字、写真を印刷した請求項１に記載の成型製函パッケージ。
【考案の詳細な説明】
【考案の詳細な説明】
【技術分野】
【０００１】  本考案は主として、フィルムシート材料に対して施された多目的に使用できる利便性の高いパッケージ商品に関するものである。
【背景技術】
【０００２】  従来製函されたＰＥＴなどの化成品プラスチックシートに対する加飾は、製函完了後にシールなどを利用して行っていた。
【考案が解決しようとする課題】
【０００３】  従来の製函パッケージは製品の表面が平滑でならなければ安定した生産が難しかった。また、加飾の為には工程の増加、コストの増加が問題となっていた。
【課題を解決するための手段】
【０００４】  あらかじめ印刷を施したプラスチックシートに対し真空成型で加飾を施した後に製函機を使用し、自動的に製函を可能にするものである。
【考案を実施するための形態】
【０００５】  図１は本考案の成型製函パッケージ（１）の平面図である。成型製函パッケージ（１）はトムソン加工を施し打ち抜かれた後、成型加工し製函できるようにされた状態である。
成型製函パッケージ（１）には、辺と罫に囲まれてできた面（Ｍ１）（Ｍ２）（Ｍ３）（Ｍ４）（Ｍ５）があり、真空成型によって作られた成型面（Ｓ１）（Ｓ２）は前記の辺と罫に囲まれてできた面（Ｍ１）（Ｍ２）（Ｍ３）（Ｍ４）（Ｍ５）のいずれかに現れる。また、面（Ｍ２）と糊によって接着されるのりしろ面（Ｎ）を物品の両端に持つことで自動製函機で製函できる状態となっている。
【０００６】  図２は本考案の成型製函パッケージ（１）の斜視図である。辺と罫に囲まれてできた面（Ｍ１）（Ｍ２）（Ｍ３）（Ｍ４）（Ｍ５）の中に存在し、それらの面よりも盛り上がった状態である。
【０００７】  図３は本考案の成型製函パッケージ（１）を自動製函機を使用して製函した状態の斜視図である。この状態で成型製函パッケージ（１）は物品の両端に現れる面（Ｍ２）とのりしろ面（Ｎ）によって接合され、製函された状態である。
【図面の簡単な説明】
【０００８】
【図１】本考案の成型製函パッケージの平面図
【図２】図１の成型製函パッケージの斜視図
【図３】図１の成型製函パッケージを組み立てた斜視図
【０００９】１    成型製函パッケージ
Ｓ１  成型部１
Ｓ２  成型部２
Ｍ１  面１
Ｍ２  面２
Ｍ３  面３
Ｍ４  面４
Ｍ５  面５
Ｎ    のりしろ面
【図１】
0003209175.tif 000003
【図２】
0003209175.tif 000004
【図３】
0003209175.tif 000005
(57)【要約】      （修正有）【課題】従来のシール名刺に記載さていた企業名、氏名、役職、住所等の情報に新たなツールを加えることで使用価値及び利便性を高めた名刺を提供する。【解決手段】二つ折りの片面に様々な用途に適応したデザインのマークシール１をシール印刷し、もう片面には企業名、氏名、役職、住所等の情報２を印刷し、印刷後に型抜きミシン目の加工をすることによりシール名刺としての使用価値及び利便性を高めた。【選択図】図１
0003209177.tif 000002
【実用新案登録請求の範囲】
【請求項１】
二つ折りの片面に企業名、氏名、役職、住所等の情報、もう片面には様々な用途に適応したデザインのマークシールをシール印刷し、シール名刺としての使用価値及び利便性を高めたところを特徴とする名刺。
【考案の詳細な説明】
【技術分野】
【０００１】  本考案は、業務用名刺として企業名、氏名、役職、住所等を記載した部分と業務的または日常的に使用する図柄を一体化させたシール名刺に関するものである。
【背景技術】
【０００２】  従来のシール名刺は企業名、氏名、役職、住所等の企業情報をタック紙に印刷することでシール名刺としている。
【先行技術文献】
【特許文献】
【０００３】
【特許文献１】実開平０４−０６４１７５号  公報
【考案の概要】
【考案が解決しようとする課題】
【０００４】  従来のシール名刺は企業名、氏名、役職、住所等の情報をシールとして剥離し名刺以外のものに貼ることができるものである。本考案は名刺を受取る側が使いやすい様々な形状のマークをデザインしシール台紙（二つ折りにした片面）として、企業名、氏名、役職、住所等の情報と一体化させてひとつの名刺とすることで、名刺をシール印刷することの使用価値及び利便性をより高めるものである。
【課題を解決するための手段】
【０００５】  本考案は、名刺を二つ折りにして、企業名、氏名、役職、住所等の情報と、チェックシール等受け取る側の使用頻度の高いマークシールをデザインしたものをシール印刷し、且つ折部分にミシン目を入れて切り離し可能とすることにより、利便性を高めることを特徴としたシール名刺にすることにより課題を解決している。
【考案の効果】
【０００６】  上述の様に、本考案は単に企業名、氏名、役職、住所等の情報を印刷したシール名刺ではなく、受取る側が業務的または日常的に使用する頻度が高く利便性のあるマークシールをデザインし、企業名等の情報と合わせてシール印刷することにより業務用名刺としての使用価値を高めている。
【図面の簡単な説明】
【０００７】
【図１】本考案の平面デザインのシール印刷物を示す図である。
【図２】本考案のシール印刷後の抜き型例及びミシン目を示す図である。
【図３】本考案のマークシール一体型シール名刺の実施使用例である。
【考案を実施するための形態】
【０００８】  企業名、氏名、役職、住所等の情報と、デザインされたマークシールをタック紙に型抜き印刷し、ミシン目を入れることで二つ折りにする。
【実施例】
【０００９】  以下、貼付図面に従って実施例を説明する。１は名刺を受取る側が業務的または日常的に使用するマークシール、２は企業名、氏名、役職、住所等の情報である。前述１，２をシール印刷し、シール印刷後型抜き３、且つミシン目４を入れることで二つ折りにする。
【産業上の利用可能性】
【００１０】  本考案は、シール印刷による名刺を製造する産業で利用される。
【符号の説明】
【００１１】  １  シール印刷物のマークシール部分
２  シール印刷物の企業名、氏名、役職、住所等の情報等の部分
３  シール印刷後の抜き型
４  シール印刷後のミシン目
【図１】
0003209177.tif 000003
【図２】
0003209177.tif 000004
【図３】
0003209177.tif 000005